(57)【要約】【課題】表示手段の表示画面に表示される所定種類の表示情報を視認し易くでき、遊技性に優れた遊技機を提供することを目的とする。【解決手段】図柄表示装置４０の表示画面に表示される表示情報（普通図柄３２ａ，３２ｂ、普通図柄変動保留表示情報３３ａ〜３３ｄ、特別図柄変動保留表示情報４１ａ〜４１ｄ）を囲うようにこの表示画面を区画する、図柄表示装置４０とは別体でその表示画面側に配設された区画部材９８ａ〜９８ｃを備えているので、図柄表示装置４０に表示される前記の表示情報を区画部材９８ａ〜９８ｃで区画することにより強調表示でき、この表示情報を遊技者にとって視認し易く表示でき、この表示情報を楽しむことができ、遊技性に優れたパチンコ機を提供することができる。【選択図】　　　図５
2004121293.tif 000002
【特許請求の範囲】
【請求項１】
複数種類の表示情報を表示する表示手段を備えた遊技機において、
前記表示手段の表示画面に表示される所定種類の表示情報を囲うように前記表示手段の表示画面の少なくとも一部を区画する区画手段
を備えていることを特徴とする遊技機。
【発明の詳細な説明】
【０００１】
【発明の属する技術分野】
本発明は、パチンコ機やスロットマシン等の遊技機に関する。
【０００２】
【従来の技術】
従来、遊技機の代表例としてはパチンコ機がある。このパチンコ機は、始動口に球が入賞したことに起因して、図柄変動表示装置としての液晶表示装置の表示画面上に表示された所定列の図柄を変動表示させ、その変動表示が停止した結果が所定の表示態様となった場合に大当り状態となるものがある。また、近年、液晶表示装置の表示能力の向上に伴って、この液晶表示装置の表示画面に図柄のみならず図柄以外の種々の表示情報も同時に表示するものがある。このような従来例のパチンコ機として、例えば、特開２００１−２８６６３３号公報に記載されたものが挙げられる。
【０００３】
【発明が解決しようとする課題】
しかしながら、このような構成を有する従来例の場合には、次のような問題がある。
すなわち、従来のパチンコ機では、表示手段としての液晶表示装置の表示画面に様々な表示情報を同時に表示するので、遊技者にとってこれらの表示情報が視認し難いという問題がある。例えば、表示画面に図柄を変動表示するとともに、この表示画面の端部（左下隅部や下端部など）に、始動口を備えた電動チューリップの開閉を決定するための表示情報を同時表示するものがあるが、この表示情報が表示画面の端部に小さく表示されていることやこの表示情報の周りの表示状態に起因して、表示情報が遊技者にとって見難いという問題がある。
【０００４】
本発明は、このような事情に鑑みてなされたものであって、表示手段の表示画面に表示される所定種類の表示情報を視認し易くでき、遊技性に優れた遊技機を提供することを目的とする。
【０００５】
【課題を解決するための手段】
本発明は、このような目的を達成するために、次のような構成を採る。
すなわち、請求項１に記載の発明は、複数種類の表示情報を表示する表示手段を備えた遊技機において、前記表示手段の表示画面に表示される所定種類の表示情報を囲うように前記表示手段の表示画面の少なくとも一部を区画する区画手段を備えていることを特徴とするものである。
【０００６】
（作用・効果）請求項１に記載の発明によれば、複数種類の表示情報を表示する表示手段を備えた遊技機において、表示手段の表示画面に表示される所定種類の表示情報を囲うようにこの表示手段の表示画面の少なくとも一部を区画する区画手段を備えているので、表示手段の表示画面に表示される所定種類の表示情報を区画手段によって区画することができ、この所定種類の表示情報が強調される。したがって、表示手段の表示画面に表示される所定種類の表示情報を区画手段で囲むことで遊技者にとって視認し易く表示できる。また、遊技者が初めてこの遊技機を遊技するような場合であっても、表示情報が区画手段で囲まれておりその表示情報を遊技者が見落とさないようにできる。また、所定種類の表示情報は区画手段で囲まれているので、この表示情報が表示画面の端部に小さく表示されていたとしても、遊技者にとって視認し易く表示できるし、この表示情報の周りの状態によって見難くなることも低減できる。その結果、遊技者は、表示手段の表示画面に表示される所定種類の表示情報を視認し易く、かつ、見落とさないので、所定種類の表示情報を楽しむ、つまり、より遊技を楽しむことができ、遊技性に優れた遊技機を提供することができる。
【０００７】
なお、本明細書は、次のような遊技機に係る発明も開示している。
【０００８】
（１）　請求項１に記載の遊技機において、
前記区画手段は、前記表示手段とは別体でその表示画面側に配設されたものであることを特徴とする遊技機。
【０００９】
前記（１）に記載の発明によれば、区画手段は、表示手段とは別体でその表示画面側に配設されたものであるので、表示手段の表示画面に表示される所定種類の表示情報を、表示手段とは別体の区画手段によって区画することができ、この所定種類の表示情報が強調される。したがって、表示手段の表示画面に表示される所定種類の表示情報を区画手段で囲むことで遊技者にとって視認し易く表示できる。また、遊技者が初めてこの遊技機を遊技するような場合であっても、表示情報が区画手段で囲まれておりその表示情報を遊技者が見落とさないようにできる。また、所定種類の表示情報は、表示手段とは別体の区画手段で囲まれているので、この表示情報が表示画面の端部に小さく表示されていたとしても、遊技者にとって視認し易く表示できるし、この表示情報の周りの状態によって見難くなることも低減できる。また、表示手段の表示情報を囲う区画手段を、この表示手段での表示画像として形成する場合には表示手段のデータが多くなるが、そのようなことはなく、また簡単な構成で区画して表示手段の表示情報を見せることができる。その結果、遊技者は、表示手段の表示画面に表示される所定種類の表示情報を視認し易く、かつ、見落とさないので、所定種類の表示情報を楽しむ、つまり、より遊技を楽しむことができ、遊技性に優れた遊技機を提供することができる。
【００１０】
（２）　請求項１に記載の遊技機、または、前記（１）に記載の遊技機において、
前記表示手段は、複数種類の表示情報として、遊技者に所定の遊技価値を与えるための第１図柄と、前記第１図柄とは異なる遊技価値を与えるための第２図柄とを表示画面に表示するものであり、
前記区画手段は、前記表示手段に表示される前記第２図柄を囲うように、前記表示手段の表示画面の少なくとも一部を区画するものであることを特徴とする遊技機。
【００１１】
前記（２）に記載の発明によれば、表示手段は、複数種類の表示情報として、遊技者に所定の遊技価値を与えるための第１図柄と、この第１図柄とは異なる遊技価値を与えるための第２図柄とを表示画面に表示するものであり、区画手段は、表示手段に表示される第２図柄を囲うように、表示手段の表示画面の少なくとも一部を区画するものであるとしているので、表示手段の表示画面に表示される所定種類の表示情報としての第２図柄を区画手段によって区画することができ、第２図柄が強調される。したがって、表示手段の表示画面に表示される第２図柄を区画手段で囲むことで遊技者にとって視認し易く表示できる。また、遊技者が初めてこの遊技機を遊技するような場合であっても、第２図柄が区画手段で囲まれておりその第２図柄を遊技者が見落とさないようにできる。その結果、遊技者は、表示手段の表示画面に表示される第２図柄を視認し易く、かつ、見落とさないので、所定種類の表示情報を楽しむ、つまり、より遊技を楽しむことができ、遊技性に優れた遊技機を提供することができる。なお、本明細書で言う「第１図柄」としては、例えば、遊技者に大きい遊技価値を与える識別情報（図柄）、特別識別情報などが挙げられる。また、本明細書で言う「第２図柄」としては、例えば、第１図柄とは種類の異なる遊技価値や第１図柄よりも小さいあるいは大きい遊技価値などを遊技者に与える識別情報（図柄）、普通識別情報などが挙げられる。
【００１２】
（３）　請求項１に記載の遊技機、または、前記（１）または（２）に記載の遊技機において、
前記表示手段は、複数種類の表示情報として、遊技者に所定の遊技価値を与えるための第１図柄と、前記第１図柄の変動保留に関する第１図柄変動保留表示情報とを表示画面に表示するものであり、
前記区画手段は、前記表示手段に表示される前記第１図柄変動保留表示情報を囲うように、前記表示手段の表示画面の少なくとも一部を区画するものであることを特徴とする遊技機。
【００１３】
前記（３）に記載の発明によれば、表示手段は、複数種類の表示情報として、遊技者に所定の遊技価値を与えるための第１図柄と、この第１図柄の変動保留に関する第１図柄変動保留表示情報とを表示画面に表示するものであり、区画手段は、表示手段に表示される第１図柄変動保留表示情報を囲うように、表示手段の表示画面の少なくとも一部を区画するものであるとしているので、表示手段の表示画面に表示される所定種類の表示情報としての第１図柄変動保留表示情報を区画手段によって区画することができ、第１図柄変動保留表示情報が強調される。したがって、表示手段の表示画面に表示される第１図柄変動保留表示情報を区画手段で囲むことで遊技者にとって視認し易く表示できる。また、遊技者が初めてこの遊技機を遊技するような場合であっても、第１図柄変動保留表示情報が区画手段で囲まれておりその第１図柄変動保留表示情報を遊技者が見落とさないようにできる。その結果、遊技者は、表示手段の表示画面に表示される第１図柄変動保留表示情報を視認し易く、かつ、見落とさないので、所定種類の表示情報を楽しむ、つまり、より遊技を楽しむことができ、遊技性に優れた遊技機を提供することができる。
【００１４】
（４）　請求項１に記載の遊技機、または、前記（１）から（３）のいずれかに記載の遊技機において、
前記表示手段は、複数種類の表示情報として、遊技者に所定の遊技価値を与えるための第１図柄と、前記第１図柄よりも小さな遊技価値を与えるための第２図柄の変動保留に関する第２図柄変動保留表示情報とを表示画面に表示するものであり、
前記区画手段は、前記表示手段に表示される前記第２図柄変動保留表示情報を囲うように、前記表示手段の表示画面の少なくとも一部を区画するものであることを特徴とする遊技機。
【００１５】
前記（４）に記載の発明によれば、表示手段は、複数種類の表示情報として、遊技者に所定の遊技価値を与えるための第１図柄と、この第１図柄よりも小さな遊技価値を与えるための第２図柄の変動保留に関する第２図柄変動保留表示情報とを表示画面に表示するものであり、区画手段は、表示手段に表示される第２図柄変動保留表示情報を囲うように、表示手段の表示画面の少なくとも一部を区画するものであるとしているので、表示手段の表示画面に表示される所定種類の表示情報としての第２図柄変動保留表示情報を区画手段によって区画することができ、第２図柄変動保留表示情報が強調される。したがって、表示手段の表示画面に表示される第２図柄変動保留表示情報を区画手段で囲むことで遊技者にとって視認し易く表示できる。また、遊技者が初めてこの遊技機を遊技するような場合であっても、第２図柄変動保留表示情報が区画手段で囲まれておりその第２図柄変動保留表示情報を遊技者が見落とさないようにできる。その結果、遊技者は、表示手段の表示画面に表示される第２図柄変動保留表示情報を視認し易く、かつ、見落とさないので、所定種類の表示情報を楽しむ、つまり、より遊技を楽しむことができ、遊技性に優れた遊技機を提供することができる。
【００１６】
（５）　請求項１に記載の遊技機、または、前記（１）から（４）のいずれかに記載の遊技機において、
前記表示手段は液晶表示装置であることを特徴とする遊技機。
【００１７】
前記（５）に記載の発明によれば、表示手段は液晶表示装置であるとしているので、液晶表示装置の表示画面に表示される所定種類の表示情報を区画手段によって区画することができ、この所定種類の表示情報が強調される。したがって、液晶表示装置の表示画面に表示される所定種類の表示情報を区画手段で囲むことで遊技者にとって視認し易く表示できる。また、遊技者が初めてこの遊技機を遊技するような場合であっても、表示情報が区画手段で囲まれておりその表示情報を遊技者が見落とさないようにできる。その結果、遊技者は、液晶表示装置の表示画面に表示される所定種類の表示情報を視認し易く、かつ、見落とさないので、所定種類の表示情報を楽しむ、つまり、より遊技を楽しむことができ、遊技性に優れた遊技機を提供することができる。
【００１８】
（６）　請求項１に記載の遊技機、または、前記（１）から（５）に記載の遊技機において、
前記区画手段は、所定種類の表示情報を囲うように形作られた輪郭部を備えていることを特徴とする遊技機。
【００１９】
前記（６）に記載の発明によれば、区画手段は、所定種類の表示情報を囲うように形作られた輪郭部を備えているので、表示手段の表示画面に表示される所定種類の表示情報を区画手段の輪郭部によって強調的に区画することができ、この所定種類の表示情報を強調表示できる。したがって、表示手段の表示画面に表示される所定種類の表示情報を区画手段で囲むことで遊技者にとって視認し易く表示できる。また、遊技者が初めてこの遊技機を遊技するような場合であっても、表示情報が区画手段で囲まれておりその表示情報を遊技者が見落とさないようにできる。その結果、遊技者は、表示手段の表示画面に表示される所定種類の表示情報を視認し易く、かつ、見落とさないので、所定種類の表示情報を楽しむ、つまり、より遊技を楽しむことができ、遊技性に優れた遊技機を提供することができる。
【００２０】
（７）　請求項１に記載の遊技機、または、前記（１）から（６）のいずれかに記載の遊技機において、
前記区画手段は、その裏面側に粘着剤層が形成され、前記粘着剤層上に貼り付けられて剥離自在な剥離部材とを有するものであることを特徴とする遊技機。
【００２１】
前記（７）に記載の発明によれば、区画手段は、その裏面側に粘着剤層が形成され、この粘着剤層上に貼り付けられて剥離自在な剥離部材とを有するものであるとしているので、使用する際に、剥離部材を剥がして粘着剤層が現れた状態にし、この粘着剤層を表示手段の表示画面などの所望箇所に接触させて区画手段を表示画面に貼り付けることができる。
【００２２】
（８）　請求項１に記載の遊技機、または、前記（１）から（７）のいずれかに記載の遊技機において、
前記区画手段は、前記表示手段の表示画面の少なくとも一部に被さるようにこの表示画面の周囲の少なくとも一部に取り付けられた装飾手段に設けられていることを特徴とする遊技機。
【００２３】
前記（８）に記載の発明によれば、区画手段は、表示手段の表示画面の少なくとも一部に被さるようにこの表示画面の周囲の少なくとも一部に取り付けられた装飾手段に設けられているので、表示手段の表示画面に表示される所定種類の表示情報を、装飾手段に設けられた区画手段によって表示画面上の表示情報を強調的に区画することができ、さらに、奥行き感と装飾美とを持たせることができ、より優雅に表示情報を強調表示することができる。したがって、表示手段の表示画面に表示される所定種類の表示情報を装飾手段中の区画手段で囲むことで遊技者にとってさらに視認し易く表示できる。また、遊技者が初めてこの遊技機を遊技するような場合であっても、表示情報が装飾手段中の区画手段で囲まれておりその表示情報を遊技者が見落とさないようにできる。その結果、遊技者は、表示手段の表示画面に表示される所定種類の表示情報を視認し易く、かつ、見落とさないので、所定種類の表示情報を楽しむ、つまり、より遊技を楽しむことができ、遊技性に優れた遊技機を提供することができる。
【００２４】
（９）　前記（８）に記載の遊技機において、
前記装飾手段における前記区画手段の前記輪郭部内は、透明部材で形成されているかあるいは開口されていることを特徴とする遊技機。
【００２５】
前記（９）に記載の発明によれば、装飾手段における区画手段の輪郭部内は、透明部材で形成されているかあるいは開口されているので、装飾手段中の区画手段の輪郭部内に位置する、表示手段の表示画面の表示情報を視認し易く強調表示でき、表示手段の表示画面の表示情報を、奥行き感を持たせてより優雅に強調表示することができる。
【００２６】
（１０）　請求項１に記載の遊技機、または、前記（１）から（９）のいずれかに記載の遊技機において、
前記表示手段は、表示画面の中央に位置する第１図柄表示領域に第１図柄を表示し、表示画面の前記第１図柄表示領域の外側に位置する外周領域に、第２図柄と第１図柄変動保留表示情報と第２図柄変動保留表示情報の少なくとも１つを表示することを特徴とする遊技機。
【００２７】
前記（１０）に記載の発明によれば、表示手段は、表示画面の中央に位置する第１図柄表示領域に第１図柄を表示し、表示画面の前記第１図柄表示領域の外側に位置する外周領域に、第２図柄と第１図柄変動保留表示情報と第２図柄変動保留表示情報の少なくとも１つを表示するので、表示画面における外周領域つまり表示画面の端の方に位置する表示情報（第２図柄と第１図柄変動保留表示情報と第２図柄変動保留表示情報の少なくとも１つ）を視認し易く強調表示できる。
【００２８】
（１１）請求項１に記載の遊技機、または、前記（１）から（１０）のいずれかに記載の遊技機において、
前記遊技機はパチンコ機であることを特徴とする遊技機。
【００２９】
前記（１１）に記載の遊技機によれば、表示手段の表示画面に表示される所定種類の表示情報を視認し易くでき、遊技性に優れたパチンコ機を提供できる。なお、パチンコ機の基本構成としては操作ハンドルを備え、その操作ハンドルの操作に応じて遊技用媒体としての球を所定の遊技領域発射し、球が遊技領域内の所定の位置に配設された作動口に入賞（または作動ゲートを通過）することを必要条件として、表示装置において動的表示されている第１図柄（特別識別情報）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３０】
（１２）請求項１に記載の遊技機、または、前記（１）から（１０）のいずれかに記載の遊技機において、
前記遊技機はスロットマシンであることを特徴とする遊技機。
【００３１】
前記（１２）に記載の遊技機によれば、表示手段の表示画面に表示される所定種類の表示情報を視認し易くでき、遊技性に優れたスロットマシンを提供できる。なお、スロットマシンの基本構成としては、「複数の第１図柄（特別識別情報）からなる第１図柄列を動的表示した後に第１図柄を確定表示する可変表示手段を備え、始動用操作手段（例えば操作レバー）の操作に起因して第１図柄列の動的表示が開始され、停止用操作手段（例えばストップボタン）の操作に起因して、あるいは、所定時間経過することにより、第１図柄の動的表示が停止され、その停止時の確定識別情報が第１図柄であることを必要条件として、遊技者に有利な特別遊技状態を発生させる特別遊技状態発生手段とを備えた遊技機」となる。この場合、遊技用媒体はコイン、メダル等が代表例として挙げられる。
【００３２】
（１３）請求項１に記載の遊技機、または、前記（１）から（１０）のいずれかに記載の遊技機において、
前記遊技機はパチンコ機とスロットマシンとを融合させたものであることを特徴とする遊技機。
【００３３】
前記（１３）に記載の遊技機によれば、表示手段の表示画面に表示される所定種類の表示情報を視認し易くでき、遊技性に優れた、パチンコ機とスロットマシンとを融合させたものを提供できる。なお、この融合させたものの基本構成としては、「複数の第１図柄（特別識別情報）からなる第１図柄列を動的表示した後に第１図柄を確定表示する可変表示手段を備え、始動用操作手段（例えば操作レバー）の操作に起因して第１図柄の動的表示が開始され、停止用操作手段（例えばストップボタン）の操作に起因して、あるいは、所定時間経過することにより、第１図柄の動的表示が停止され、その停止時の確定識別情報が第１図柄であることを必要条件として、遊技者に有利な特別遊技状態を発生させる特別遊技状態発生手段とを備え、遊技用媒体として球を使用するとともに、前記第１図柄の動的表示の開始に際しては所定数の球を必要とし、特別遊技状態の発生に際しては多くの球が払い出されるように構成されている遊技機」となる。
【００３４】
【発明の実施の形態】
以下、図面を参照して本発明の実施例を説明する。
本実施例では、遊技機の一例として弾球遊技機の一種であるパチンコ機、特に、第１種パチンコ遊技機を用いて説明する。なお、本発明を第３種パチンコ遊技機（権利物とも呼ばれる）や、コイン遊技機、スロットマシン等の他の遊技機に用いることは、当然に可能である。
【００３５】
図１は、実施例のパチンコ機の概略正面図であり、図２はパチンコ機の遊技盤の概略正面図であり、図３は本実施例のパチンコ機の電気的接続を例示するブロック図である。本実施例のパチンコ機Ｐは、図１に示すように、遊技盤１と、球を貯留する上受け皿２および下受け皿３と、球を遊技盤１へ発射するための発射ハンドル４と、パチンコ機Ｐ全体を制御するメイン制御装置７０（図３参照）とを備えている。遊技盤１は、前面枠１ａに嵌め込まれたガラス製の透明板１ｂに覆われている。
【００３６】
図２に示すように、遊技盤１は、この遊技盤１の左右部に各々配置されて球の通過を検知する普通図柄始動口スイッチ３６ａ，３６ｂを有する普通図柄変動表示作動ゲート３４ａ，３４ｂと、遊技盤１の略中央に配置された図柄表示装置４０と、この図柄表示装置４０の下側に配置されて球の入賞を検知する特別図柄始動口スイッチ４４を有する始動口４２と、この始動口４２に取り付けられて開閉可能なチューリップ式の普通電動役物４６と、始動口４２の下側に配置されて開閉可能な大入賞口５０と、遊技盤１の左右下部に計４個配置された普通入賞口６０ａ〜６０ｄと、いずれの入賞口にも入らなかった球を回収する回収口としてのアウトロ６９とを備えている。
【００３７】
図柄表示装置４０は、液晶ディスプレイ（液晶表示装置）などの表示装置として構成されており、図３に示す表示用制御装置９０により表示内容が制御されている。図柄表示装置４０は、図４に示すように、左列Ｌ、中列Ｍ、右列Ｒの３列で構成され、各列ごとに上から順に上図柄、中図柄、下図柄の３個の図柄を表示し、上から下へ垂直方向に変動表示を行うための特別図柄表示領域３０を備えている。表示用制御装置９０は、球が始動口４２に入賞するのを検知したときに、特別図柄表示領域３０の左列Ｌ、中列Ｍ、右列Ｒのそれぞれに一連の図柄を変動表示させる。一連の図柄は、主図柄（例えば麻雀牌）と、副図柄（例えばサイコロ）とにより構成され、周期性を持って主図柄と副図柄が上から下へと変動表示される。この一連の図柄の表示順序は、中列Ｍおよび右列Ｒにおいては、麻雀牌の「一萬」からなる主図柄、サイコロからなる副図柄、麻雀牌の「二萬」からなる主図柄、サイコロからなる副図柄、麻雀牌の「三萬」からなる主図柄、サイコロからなる副図柄、麻雀牌の「四萬」からなる主図柄、サイコロからなる副図柄、麻雀牌の「五萬」からなる主図柄、サイコロからなる副図柄、麻雀牌の「六萬」からなる主図柄、サイコロからなる副図柄、麻雀牌の「七萬」からなる主図柄、サイコロからなる副図柄、麻雀牌の「八萬」からなる主図柄、サイコロからなる副図柄、麻雀牌の「九萬」からなる主図柄、サイコロからなる副図柄、麻雀牌に龍を付した主図柄、サイコロからなる副図柄、麻雀牌の「發」からなる主図柄、サイコロからなる副図柄、麻雀牌の「中」からなる主図柄、サイコロからなる副図柄の順つまり昇順であり、この後再び麻雀牌の「一萬」からなる主図柄に戻る。一方、左列Ｌにおいては、同様の一連の図柄が表示されるが、表示順序は昇順ではなく降順である。そして、左列Ｌ、右列Ｒ、中列Ｍの順に変動表示を停止させ、横上行Ｌ１、横中央行Ｌ２、横下行Ｌ３、斜め右上列Ｌ４、斜め左上列Ｌ５のいずれかのラインで主図柄が揃ったときに大当たりとして特別遊技動画を表示させる。なお、上述した主図柄、副図柄が本発明における第１図柄に相当し、上述した特別図柄表示領域３０が本発明における第１図柄表示領域に相当する。
【００３８】
さらに、図４に示すように、この図柄表示装置４０の上部側、つまり、特別図柄表示領域３０の外側で上部の位置には、外周領域３２が設けられている。この外周領域３２には、点灯を切り換えることにより変動表示される「○」および「×」の普通図柄３２ａ，３２ｂと、この「○」および「×」の普通図柄３２ａ，３２ｂの上側に配置された４個の普通図柄変動保留表示情報３３ａ〜３３ｄとが表示されるようになっている。「○」および「×」の普通図柄３２ａ，３２ｂは、球が普通図柄変動表示作動ゲート３４ａ，３４ｂを通過したのを検知したときに変動表示の開始がなされ、所定時間変動表示後に「○」および「×」の普通図柄３２ａ，３２ｂのいずれかを点灯した状態で変動表示を終了する。普通図柄変動保留表示情報３３ａ〜３３ｄは、外周領域３２による「○」および「×」の普通図柄３２ａ，３２ｂの変動表示の最中に球が普通図柄変動表示作動ゲート３４ａ，３４ｂを通過するごとに左側から順に一つずつ点灯され、外周領域３２における「○」および「×」の普通図柄３２ａ，３２ｂの変動表示が開始されるごとに点灯とは逆の順に消灯されることにより、変動表示の最中に普通図柄変動表示作動ゲート３４ａ，３４ｂを通過した回数を最大４回まで保留球数として示す。
【００３９】
図２に示すように、始動口４２に設けられたチューリップ式の普通電動役物４６は、図柄表示装置４０の外周領域３２における変動表示が「○」の普通図柄３２ａで停止したときに当りとしてそのチューリップを図２の二点鎖線で示すように所定時間（例えば０．３秒間）開くものとして構成されている。
【００４０】
また、外周領域３２の特別図柄表示領域３０側の位置には、４個の特別図柄変動保留表示情報４１ａ〜４１ｄが表示されるようになっている。この特別図柄変動保留表示情報４１ａ〜４１ｄは、図柄表示装置４０の特別図柄表示領域３０における左列Ｌ、中列Ｍ、右列Ｒの変動表示の最中や特別遊技動画を表示している最中に球が始動口４２に入賞するごとに左側から順に一つずつ点灯され、図柄表示装置４０による左列Ｌ、中列Ｍ、右列Ｒの変動表示が開始されるごとに点灯とは逆の順に消灯されることにより、変動表示の最中や特別遊技動画を表示している最中に始動口４２に入賞した球数を最大４個まで保留球数として示す。
【００４１】
大入賞口５０は、通常は球を受け入れない閉状態とされており、大当りのときに、図３に示す大入賞口駆動装置５２によって球を受け入れやすい開状態と通常の閉状態とが所定の条件に基づいて繰り返されるように駆動される。大入賞口５０には、球の入賞をカウントする１０カウントスイッチ５４（図３参照）や、大入賞口５０の右部に設けられたＶゾーン５６に球が入賞したのを検出するＶカウントスイッチ５８（図３参照）が取り付けられている。
【００４２】
遊技盤１には、この他、発射された球を円弧上に導くレール６２と、遊技盤１の中央部に導く左右の肩部に配置されたランプ風車６４ａ，６４ｂと、普通図柄変動表示作動ゲート３４ａ，３４ｂの近傍に配置された風車６６ａ，６６ｂと、図柄表示装置４０の両横等に取り付けられた複数個のインジケータ６８ａ，６８ｂなども取り付けられている。なお、図１，図２では、球をガイドしたり弾いたりしてその遊技性を高める複数個の釘についての図示を省略している。
【００４３】
図３に示すように、メイン制御装置７０は、ワンチップマイコン７１と、このワンチップマイコン７１に電源供給する電源回路７３とを備えている。このワンチップマイコン７１は、演算処理を行うＣＰＵ７２と、各種の処理プログラムを記憶するＲＯＭ７４と、データを一時的に記憶するＲＡＭ７６と、所定周波数の矩形波を出力するクロック回路７８とが、１チップ内に収められたものである。ＣＰＵ７２とＲＯＭ７４とＲＡＭ７６とクロック回路７８とは、バス８２によって入出力処理回路８０と接続されている。メイン制御装置７０には、普通図柄始動口スイッチ３６ａ，３６ｂからの通過信号と、特別図柄始動口スイッチ４４からの始動信号と、１０カウントスイッチ５４からのカウント信号と、Ｖカウントスイッチ５８からのＶ信号と、普通入賞スイッチや賞球カウントスイッチなどの他の入力装置８８からの入力信号となどが入出力処理回路８０を介して入力されている。また、メイン制御装置７０からは、図柄表示装置４０内の外周領域３２への駆動信号と、大入賞口駆動装置５２への駆動信号と、図柄表示装置４０内の普通図柄変動保留表示情報３３ａ〜３３ｄや特別図柄変動保留表示情報４１ａ〜４１ｄへの点灯信号と、普通電動役物４６への駆動信号と、スピーカ８６が接続された音声用制御装置８４への制御信号と、図柄表示装置４０の表示制御を司る表示用制御装置９０への制御信号などが入出力処理回路８０を介して出力されている。
【００４４】
ここで、本発明の特徴部分の１つである構成について、図５も用いて以下に説明する。図５は、図柄表示装置４０と装飾部材９４との位置関係を説明するための分解斜視図である。図２，図５に示すように、本実施例のパチンコ機Ｐの遊技盤１の図柄表示装置４０の一部（例えば外周領域３２）に被さるようにこの図柄表示装置４０の周囲には、例えば「龍」の絵が左右に施された装飾部材９４が設けられている。なお、図５に示すように、図柄表示装置４０は、上述したように、例えば主図柄、副図柄からなる特別図柄を変動表示するための特別図柄表示領域３０と、この特別図柄表示領域３０の外側に位置する、普通図柄３２ａ，３２ｂと普通図柄変動保留表示情報３３ａ〜３３ｄと特別図柄変動保留表示情報４１ａ〜４１ｄとを表示するための外周領域３２とを備えている。
【００４５】
図５に示すように、この装飾部材９４は、所定の厚みを持ったものである。さらに、この装飾部材９４は、図柄表示装置４０の表示画面上に表示される普通図柄３２ａ，３２ｂと普通図柄変動保留表示情報３３ａ〜３３ｄと特別図柄変動保留表示情報４１ａ〜４１ｄが対応するそれぞれの位置に、普通図柄３２ａ，３２ｂと普通図柄変動保留表示情報３３ａ〜３３ｄと特別図柄変動保留表示情報４１ａ〜４１ｄとをそれぞれ個別に囲うようにこの図柄表示装置４０の表示画面の一部を区画する区画部材９８ａ〜９８ｃをそれぞれ備えている。
【００４６】
普通図柄３２ａ，３２ｂのための区画部材９８ａは、普通図柄３２ａ，３２ｂを囲うように形作られた輪郭部１００ａを備えている。この輪郭部１００ａは、例えば、普通図柄３２ａ，３２ｂを囲うように四角形状の線で表されたものである。また、輪郭部１００ａ内は開口されていて、手前側と奥手側とが開口された四角柱状の空洞となっており、輪郭部１００ａ内で奥手側に位置する普通図柄３２ａ，３２ｂがパチンコ機Ｐを正面視した状態で遊技者から見えるようになっている。このように、輪郭部１００ａは、その開口された内部を外側と区画できるように、例えば線状で色を施したものとしている。
【００４７】
同様に、普通図柄変動保留表示情報３３ａ〜３３ｄのための区画部材９８ｂは、普通図柄変動保留表示情報３３ａ〜３３ｄを囲うように形作られた輪郭部１００ｂを備えている。この輪郭部１００ｂは、例えば、普通図柄変動保留表示情報３３ａ〜３３ｄを囲うように円形状の線で表されたものである。また、輪郭部１００ｂ内は開口されていて、手前側と奥手側とが開口された円柱状の空洞となっており、輪郭部１００ｂ内で奥手側に位置する普通図柄変動保留表示情報３３ａ〜３３ｄがパチンコ機Ｐを正面視した状態で遊技者から見えるようになっている。このように、輪郭部１００ｂは、その開口された内部を外側と区画できるように、例えば線状で色を施したものとしている。
【００４８】
同様に、特別図柄変動保留表示情報４１ａ〜４１ｄのための区画部材９８ｃは、特別図柄変動保留表示情報４１ａ〜４１ｄを囲うように形作られた輪郭部１００ｃを備えている。この輪郭部１００ｃは、例えば、特別図柄変動保留表示情報４１ａ〜４１ｄを囲うように四角形状の線で表されたものである。また、輪郭部１００ｃ内は開口されていて、手前側と奥手側とが開口された四角柱状の空洞となっており、輪郭部１００ｃ内で奥手側に位置する特別図柄変動保留表示情報４１ａ〜４１ｄがパチンコ機Ｐを正面視した状態で遊技者から見えるようになっている。このように、輪郭部１００ｃは、その開口された内部を外側と区画できるように、例えば線状で色を施したものとしている。
【００４９】
なお、上述した区画部材９８ａ〜９８ｃが本発明における区画手段に相当し、上述した装飾部材９４が本発明における装飾手段に相当し、上述した図柄表示装置４０が本発明における表示手段に相当し、上述した普通図柄３２ａ，３２ｂが本発明における第２図柄に相当し、上述した普通図柄変動保留表示情報３３ａ〜３３ｄが本発明における第２図柄変動保留表示情報に相当し、上述した特別図柄変動保留表示情報４１ａ〜４１ｄが本発明における第１図柄変動保留表示情報に相当する。
【００５０】
上述したように本実施例のパチンコ機Ｐによれば、図柄表示装置４０の表示画面に表示される所定種類の表示情報（普通図柄３２ａ，３２ｂ、普通図柄変動保留表示情報３３ａ〜３３ｄ、特別図柄変動保留表示情報４１ａ〜４１ｄ）を囲うようにこの図柄表示装置４０の表示画面の少なくとも一部を区画する、図柄表示装置４０とは別体でその表示画面側に配設された区画部材９８ａ〜９８ｃを備えているので、図柄表示装置４０の表示画面に表示される所定種類の表示情報（普通図柄３２ａ，３２ｂ、普通図柄変動保留表示情報３３ａ〜３３ｄ、特別図柄変動保留表示情報４１ａ〜４１ｄ）を区画部材９８ａ〜９８ｃによって区画することができ、この所定種類の表示情報を強調表示できる。したがって、図柄表示装置４０の表示画面に表示される所定種類の表示情報を区画部材９８ａ〜９８ｃで囲むことで遊技者にとって視認し易く表示できる。また、遊技者が初めてこのパチンコ機Ｐを遊技するような場合であっても、表示情報が区画部材９８ａ〜９８ｃで囲まれておりその表示情報を遊技者が見落とさないようにできる。その結果、遊技者は、図柄表示装置４０の表示画面に表示される所定種類の表示情報を視認し易く、かつ、見落とさないので、所定種類の表示情報を楽しむ、つまり、より遊技を楽しむことができ、遊技性に優れたパチンコ機Ｐを提供することができる。
【００５１】
また、図柄表示装置４０を液晶表示装置とすることで、液晶表示装置の表示画面に表示される上述の表示情報を区画部材９８ａ〜９８ｃによって区画することができ、この所定種類の表示情報を強調表示できる。
【００５２】
また、区画部材９８ａ〜９８ｃは、所定種類の表示情報を囲うように形作られた輪郭部１００ａ〜１００ｃを備えているので、図柄表示装置４０の表示画面に表示される所定種類の表示情報を区画部材９８ａ〜９８ｃの輪郭部１００ａ〜１００ｃによって強調的に区画することができ、この所定種類の表示情報を強調表示できる。
【００５３】
また、区画部材９８ａ〜９８ｃは、図柄表示装置４０の表示画面の少なくとも一部に被さるようにこの表示画面の周囲の少なくとも一部に取り付けられた装飾部材９４に設けられているので、図柄表示装置４０の表示画面に表示される所定種類の表示情報を、装飾部材９４に設けられた区画部材９８ａ〜９８ｃによって表示画面上の表示情報を強調的に区画することができ、さらに、奥行き感と装飾美とを持たせることができ、より優雅に表示情報を強調表示することができる。したがって、図柄表示装置４０の表示画面に表示される所定種類の表示情報を装飾部材９４中の区画部材９８ａ〜９８ｃで囲むことで遊技者にとってさらに視認し易く表示できる。また、遊技者が初めてこのパチンコ機Ｐを遊技するような場合であっても、表示情報が装飾部材９４中の区画部材９８ａ〜９８ｃで囲まれておりその表示情報を遊技者が見落とさないようにできる。その結果、遊技者は、図柄表示装置４０の表示画面に表示される所定種類の表示情報を視認し易く、かつ、見落とさないので、所定種類の表示情報を楽しむ、つまり、より遊技を楽しむことができ、遊技性に優れたパチンコ機Ｐを提供することができる。
【００５４】
また、装飾部材９４における区画部材９８ａ〜９８ｃの輪郭部１００ａ〜１００ｃ内は開口されているので、装飾部材９４中の区画部９８ａ〜９８ｃの輪郭部１００ａ〜１００ｃ内に位置する、図柄表示装置４０の表示画面の表示情報を視認し易く強調表示でき、図柄表示装置４０の表示画面の表示情報を、奥行き感を持たせてより優雅に強調表示することができる。
【００５５】
また、図柄表示装置４０は、表示画面の中央に位置する特別図柄表示領域３０に特別図柄（主図柄、副図柄）を表示し、表示画面の特別図柄表示領域３０の外側に位置する外周領域３２に、普通図柄３２ａ，３２ｂと普通図柄変動保留表示情報３３ａ〜３３ｄと特別図柄変動保留表示情報４１ａ〜４１ｄの少なくとも１つを表示するので、表示画面における外周領域３２つまり表示画面の端の方に位置する表示情報（普通図柄３２ａ，３２ｂ、普通図柄変動保留表示情報３３ａ〜３３ｄ、特別図柄変動保留表示情報４１ａ〜４１ｄの少なくとも１つ）を視認し易く強調表示できる。
【００５６】
例えば、従来例装置において、図柄変動表示装置としての液晶表示装置（例えば図柄表示装置４０）の表示画面に図柄以外の表示情報（例えば普通図柄３２ａ，３２ｂ）を大きく表示して見易くすることも考えられるが、普通図柄３２ａ，３２ｂを大きく表示すると図柄（例えば特別図柄）を表示する表示画面の表示領域（例えば特別図柄表示領域３０）が小さくなってしまい、特別図柄等を大きく表示できなくなってしまい遊技の興趣性を著しく低減させてしまうことから、普通図柄３２ａ，３２ｂを大きく表示することはできない。これに対して、本実施例のパチンコ機Ｐによれば、普通図柄３２ａ，３２ｂを区画部材９８ａの輪郭部１００ａによって囲うことができ、普通図柄３２ａ，３２ｂを大きく表示せずとも普通図柄３２ａ，３２ｂを強調表示でき、遊技者にとって視認し易く表示できる。また、普通図柄３２ａ，３２ｂを大きく表示せずとも普通図柄３２ａ，３２ｂを強調表示できることから、上述の特別図柄表示領域３０が小さくなるという問題も生じない。
【００５７】
本発明は、上記実施形態に限られることはなく、下記のように変形実施することができる。
【００５８】
（１）上述の実施例では、図５に示すように、図柄表示装置４０は、特別図柄（主図柄、副図柄）の他に、普通図柄３２ａ，３２ｂ、普通図柄変動保留表示情報３３ａ〜３３ｄおよび特別図柄変動保留表示情報４１ａ〜４１ｄを同時表示可能なものとしているが、普通図柄３２ａ，３２ｂと普通図柄変動保留表示情報３３ａ〜３３ｄと特別図柄変動保留表示情報４１ａ〜４１ｄのうちの少なくとも一つを同時表示可能なものとした場合には、この図柄表示装置４０に表示される、普通図柄３２ａ，３２ｂと普通図柄変動保留表示情報３３ａ〜３３ｄと特別図柄変動保留表示情報４１ａ〜４１ｄのうちの少なくとも一つを囲うように、図柄表示装置４０の表示画面の少なくとも一部を強調的に区画する区画部材９８ａ〜９８ｃのいずれかを採用するようにしてもよい。
【００５９】
（２）上述の実施例では、図５に示すように、装飾部材９４における所定位置（普通図柄３２ａ，３２ｂと普通図柄変動保留表示情報３３ａ〜３３ｄと特別図柄変動保留表示情報４１ａ〜４１ｄなどの対応する位置）に区画部材９８ａ〜９８ｃを設けているが、図柄表示装置４０の表示画面に直接に区画部材１０２を貼り付けるようにしてもよい。この場合における区画部材１０２は、その裏面側に粘着剤層が形成され、この粘着剤層上に貼り付けられて剥離自在な剥離部材とを有する粘着部材（シール部材）などとすることで実現可能である。この区画部材１０２に種々の形状のものを採用することが可能であるが、例えば表面側が着色された幅の細い（帯状）の粘着部材とすることが挙げられる。例えば、使用する際に、剥離部材を剥がして粘着剤層が現れた状態にし、この粘着剤層を図柄表示装置４０の表示画面などの所望箇所に接触させて区画部材１０２を表示画面に貼り付けることができる。
【００６０】
（３）上述した実施例では、図５に示すように、装飾部材９４の区画部材９８ａ〜９８ｃの輪郭部１００ａ〜１００ｃ内を開口して空洞としているが、この輪郭部１００ａ〜１００ｃ内を透明部材で形成するようにしてもよい。このように輪郭部１００ａ〜１００ｃ内を透明部材で形成することでも、装飾部材９４中の区画部材９８ａ〜９８ｃの輪郭部１００ａ〜１００ｃ内に位置する、図柄表示装置４０の表示画面の表示情報（普通図柄３２ａ，３２ｂ、普通図柄変動保留表示情報３３ａ〜３３ｄ、特別図柄変動保留表示情報４１ａ〜４１ｄ）を視認し易く強調表示でき、図柄表示装置４０の表示画面の表示情報を、奥行き感と装飾美とを持たせることができ、より優雅に強調表示することができる。
【００６１】
（４）上述した実施例では、図５に示すように、輪郭部１００ａ〜１００ｃを、普通図柄３２ａ，３２ｂ、普通図柄変動保留表示情報３３ａ〜３３ｄ、特別図柄変動保留表示情報４１ａ〜４１ｄの形状に応じた形状（四角形や円形）としているが、この形状に限定されるものではなく、多角形、円形、楕円形などの種々の形状のものとしてもよいし、輪郭部１００ａ〜１００ｃを一部に含むようなキャラクタ（人や動物や植物など各種の生き物あるいはロボットや想像物などの人工物など）を採用してもよい。例えば、キャラクタとして花を採用した場合には、花を正面視した状態で花床内に輪郭部１００ａ〜１００ｃを設け、花床の周囲に花びらが存在するようなデザインのものを採用したりしてもよい。
【００６２】
（５）上述した実施例では、図５に示すように、図柄表示装置４０の表示画面の上部を除く部分に、主図柄、副図柄からなる特別図柄を変動表示するための特別図柄表示領域３０が設定され、この特別図柄表示領域３０の上部側で外側に位置する、普通図柄３２ａ，３２ｂと普通図柄変動保留表示情報３３ａ〜３３ｄと特別図柄変動保留表示情報４１ａ〜４１ｄとを表示するための外周領域３２が設定されているが、図６に示すように、図柄表示装置４０の表示画面の中央部分に特別図柄表示領域３０を設定し、この特別図柄表示領域３０の上部側及び下部側で外側に外周領域３２を設定してもよい。この場合には、図柄表示装置４０はその表示画面の上部側及び下部側に普通図柄３２ａ，３２ｂと普通図柄変動保留表示情報３３ａ〜３３ｄと特別図柄変動保留表示情報４１ａ〜４１ｄとを適宜に分けて配置したものとし、装飾部材９４は、図柄表示装置４０の表示画面の上部側及び下部側に被さるようにこの図柄表示装置４０の周囲に取り付けられたものとし、なおかつ、図柄表示装置４０の表示画面に表示される普通図柄３２ａ，３２ｂと普通図柄変動保留表示情報３３ａ〜３３ｄと特別図柄変動保留表示情報４１ａ〜４１ｄに対応するそれぞれの位置に区画部材９８ａ〜９８ｃを備えたものとする。このように、図柄表示装置４０の表示画面の上部側及び下部側に、普通図柄３２ａ，３２ｂと普通図柄変動保留表示情報３３ａ〜３３ｄと特別図柄変動保留表示情報４１ａ〜４１ｄとを適宜に分けて配置した場合でも、普通図柄３２ａ，３２ｂと普通図柄変動保留表示情報３３ａ〜３３ｄと特別図柄変動保留表示情報４１ａ〜４１ｄとを視認し易く、かつ、見落としのないように表示できる。
【００６３】
また、図７に示すように、図柄表示装置４０の表示画面のおおよそ全体に特別図柄表示領域３０を設定し、表示画面の四隅のうちの必要な隅部に外周領域３２を設定してもよい。この場合には、図柄表示装置４０はその表示画面の四隅のうちの必要な隅部に普通図柄３２ａ，３２ｂと普通図柄変動保留表示情報３３ａ〜３３ｄと特別図柄変動保留表示情報４１ａ〜４１ｄとを適宜に分けて配置したものとし、装飾部材９４は、図柄表示装置４０の表示画面の四隅のうちの必要な隅部に被さるようにこの図柄表示装置４０の周囲に取り付けられたものとし、なおかつ、図柄表示装置４０の表示画面の隅部に表示される普通図柄３２ａ，３２ｂと普通図柄変動保留表示情報３３ａ〜３３ｄと特別図柄変動保留表示情報４１ａ〜４１ｄに対応するそれぞれの位置に区画部材９８ａ〜９８ｃを備えたものとする。このように、図柄表示装置４０の表示画面の四隅のうちの必要な隅部に、普通図柄３２ａ，３２ｂと普通図柄変動保留表示情報３３ａ〜３３ｄと特別図柄変動保留表示情報４１ａ〜４１ｄとを適宜に分けて配置した場合でも、普通図柄３２ａ，３２ｂと普通図柄変動保留表示情報３３ａ〜３３ｄと特別図柄変動保留表示情報４１ａ〜４１ｄとを遊技者にとって視認し易く、かつ、見落としのないように表示できる。
【００６４】
（６）本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００６５】
なお、スロットマシンは、例えばコインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、あるいは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技用媒体はコイン、メダル等が代表例として挙げられる。
【００６６】
本発明をスロットマシンに適用した場合の一例について説明する。図８に示すように、例えば、スロットマシン１０の液晶表示装置１５に表示情報を表示する場合に、液晶表示装置１５の表示画面の少なくとも一部に被さるようにこの表示画面の周囲の少なくとも一部に取り付けられた装飾部材９４に、上述の実施例のような輪郭部１００を備えた区画部材９８を設けることで、液晶表示装置１５に表示される表示情報を強調的に区画することができ、液晶表示装置１５の表示情報を遊技者にとって視認し易く、かつ、見落とさないように表示できる。なお、液晶表示装置１５の表示画面に表示される所定の表示情報を囲うようにシールタイプの区画部材１０２をその表示画面上に直接に貼り付けるようにしてもよい。
【００６７】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【００６８】
【発明の効果】
以上の説明から明らかなように、本発明によれば、表示手段の表示画面に表示される所定種類の表示情報を囲うようにこの表示手段の表示画面の少なくとも一部を区画する区画部材を備えているので、表示手段の表示画面に表示される所定種類の表示情報を区画部材によって強調的に区画することができ、この所定種類の表示情報を強調表示できる。したがって、遊技者にとって視認し易く、かつ、見落とさないように表示でき、遊技者はその強調表示された表示情報を見て楽しむことができ、遊技性に優れた遊技機を提供できる。
【図面の簡単な説明】
【図１】本発明の実施例のパチンコ機の概略正面図である。
【図２】パチンコ機の遊技盤の概略正面図である。
【図３】本実施例のパチンコ機の電気的接続を例示するブロック図である。
【図４】図柄表示装置の特別図柄表示領域と外周領域とを説明するための図である。
【図５】装飾部材と図柄表示装置との位置関係を説明するための分解斜視図である。
【図６】実施例とは異なる別の実施例の場合の装飾部材と図柄表示装置との位置関係を説明するための分解斜視図である。
【図７】実施例とは異なる別の実施例の場合の装飾部材と図柄表示装置との位置関係を説明するための分解斜視図である。
【図８】スロットマシンの液晶表示装置に区画部材を採用した場合の斜視図である。
【符号の説明】
１０　…　スロットマシン
１５　…　液晶表示装置（表示手段）
３０　…　特別図柄表示領域（第１図柄表示領域）
３２　…　外周領域
３２ａ，３２ｂ　…　普通図柄（第２図柄）
３３ａ〜３３ｄ　…　普通図柄変動保留表示情報（第２図柄変動保留表示情報）
４０　…　図柄表示装置（表示手段）
４１ａ〜４１ｄ　…　特別図柄変動保留表示情報（第１図柄変動保留表示情報）
９４　…　装飾部材（装飾手段）
９８　…　区画部材（区画手段）
９８ａ〜９８ｃ　…　区画部材（区画手段）
１００　…　輪郭部
１００ａ〜１００ｃ　…　輪郭部
Ｐ　…　パチンコ機
【図１】
2004121293.tif 000003
【図２】
2004121293.tif 000004
【図３】
2004121293.tif 000005
【図４】
2004121293.tif 000006
【図５】
2004121293.tif 000007
【図６】
2004121293.tif 000008
【図７】
2004121293.tif 000009
【図８】
2004121293.tif 000010
【手続補正書】
【提出日】平成15年5月27日(2003.5.27)
【手続補正１】
【補正対象書類名】明細書
【補正対象項目名】特許請求の範囲
【補正方法】変更
【補正の内容】
【特許請求の範囲】
【請求項１】
複数種類の表示情報を表示する表示手段を備えた遊技機において、
前記表示手段の表示画面に表示される所定種類の表示情報を囲うように前記表示手段の表示画面の少なくとも一部を区画する区画手段
を備え、
前記区画手段は、さらに、その裏面側に形成された粘着剤層と、前記粘着剤層上に貼り付けられて剥離自在な剥離部材とを有するものであることを特徴とする遊技機。